(57)【要約】【課題】  従来、天然植物による屋上緑化の施工する時は農場等の圃場苗床において育成された植物、例えば芝または岩垂草を切り出し施工現場まで運搬することが行われている。そのため保肥土壌層、つまり土がついた状態で運び出す方法が一般的に知られているが、その土の重量のため屋上緑化には不都合であった。【解決手段】  本発明の植生マットは特定の天然植物の根茎が通過する目合いのランダムな三次元立体繊維構造を有する植生マットで、植物の根が植生マットに絡み、茎葉が適度に育成させることができる。このように特定の天然植物の育成を植生マットにて行うため、保肥土壌層使用時に比べ重量を飛躍的に軽減することが可能となり、移動、運搬、施工が非常に容易となり、天然植物による屋上緑化の施工に役立つ。【選択図】図１
2007175040.tif 000002
【特許請求の範囲】
【請求項１】
天然繊維または化学繊維にて三次元立体繊維構造化された厚さ１〜５０ｍｍの植生マット上に特定の天然植物の種を植え付け、育成したことを特徴とした植生マットである。
【請求項２】
植生マット上に直径３〜５ｍｍの保水材を敷き詰め、その上から特定の天然植物種を蒔き、水に養分を混ぜ合わせた溶液を植生マット表面から適度に離れた位置から霧状に散布し、所定量の養分と水分を与えて特定の天然植物を育成した請求項１に記載の植生マット。
【請求項３】
特定の天然植物育成時に請求項１に記載の植生マット下部に熱可塑性樹脂でなる厚さ２〜４ｍｍのプレート板を敷き、プレート版には径寸法０．５〜１０ｍｍで、かつそれらの開口面積の和が全体の０．１〜１５％となる複数の穴がほぼ均一となる密度で形成されたプラスチックプレート板を植生マットの下敷き材とし、植生マットで生育し伸長した特定の天然植物の根部の一部を上記プレート板の穴から貫通させしめ、上記植生マットとプラスチックプレート板を剥離可能な範囲で一体に保持することを特徴とした特定の天然植物の栽培方法に使用する育苗保持体である。
【発明の詳細な説明】
【技術分野】
【０００１】  本発明は特定の天然植物の栽培方法およびその栽培に使用する育生保持体に関するものである。
【背景技術】
【０００２】  従来、天然の植物による屋上緑化の施工する時は農場等の圃場苗床において育成された天然の植物、例えば芝または岩垂草を切り出し施工現場まで運搬することが行われている。【０００３】  しかし圃場の苗床から芝や岩垂草を持ち出す場合、通常四角形に切り出し、土がついた状態で運び出す方法が一般的に知られている。また苗床の基底部に合成樹脂フィルムを敷き、このフィルム上に保肥材、培養土、砂を所定の厚さに形成した状態を保肥土壌層とし、この保肥土壌層に芝あるいは岩垂草の種を蒔き、茎葉部の生育に応じ成長した芝、岩垂草を切り出す際には、保肥土壌層をフィルムと共に剥がし、それをロール状にして運搬する技術が知られている。【０００４】  この場合、保肥土壌層は少なくもその厚さは２０〜５０ｍｍとなり重量は１平米あたり３５〜４５ｋｇとなり屋上緑化には不都合であった。
【発明の開示】
【発明が解決しようとする課題】
【０００５】  折版屋根、屋上の陸屋根上の鉄板やコンクリート上に天然の植物を敷き詰める場合には土が必要である。しかし建物の屋上に土を運び敷くことは施工面でかなりの手間がかかる他、土の重量が問題となり、建物の強度不足を招くことになる。【０００６】  本発明は、例えば屋上の陸屋根や工場の折版屋根、マンション等のベランダに天然植物を敷き詰める場合にも土を必要とせず、天然の植物を使用して緑化することができるように、軽量で薄型の植生マットを実現することを目的とするものである。
【課題を解決するための手段】
【０００７】  本発明は上記目的を達成するため、特定の天然植物育成を行う植生マットには根茎が通過する目合いのランダムな三次元立体繊維構造を有する天然繊維または科学繊維で、しかも適度な保水性があり保形性もある植生マットである。【０００８】  植生マットの三次元立体構造の縫製系としては例えば綿や、麻、腐食性の繊維製糸や生分解性のプラスチック繊維製糸などが好適であるが、プラスチック繊維の製糸を用いても良い。【０００９】  植生マットの表面に使用する保水材は倍土としてバーミキュライト、イソライト、ピートモス、炭、等が好ましい。
【発明の効果】
【００１０】  上述したように特定の天然植物の栽培は、土を使用しない植生マットを使用することで、農場の圃場を使用することに限らず、特にビニールハウスにおいては季節を問わず、短期間に特定の天然植物を育成できることからコスト的にも安価に提供できる。【００１１】  さらに従来の工法と異なり特定の天然植物の育成を植生マットにて行うため、所定の寸法に裁断する際には、植生マット下部に敷かれたプラスチック板を裁断カッターの取り付け位置側に引っ張り、所定寸法に裁断することが出来るので作業人数が少なくてすむ。【００１２】  また、裁断された軽量な植生マットは巻き物状にして梱包することができるため、移動、運搬が楽である。
【発明を実施するための最良の形態】
【００１３】  以下、本発明の実施の形態を図１〜図４に基づいて説明する。【００１４】  図においては、１は植生マットで所定の広さを有する三次元立体構造の繊維層で、特定の天然植物３の根絡み層となる。この根絡み層は適度な保水性を有している。このマット厚さは２〜５０ｍｍの範囲が推奨される。【００１５】  植生マット１の表層部にはバーミキュライト、イソライト、ピートモス、炭などを直径３〜５ｍｍの保水材２に特定の天然植物３の種子を播種し敷き詰める。【００１６】  植生マット１の表層部から適度に離れた位置から培養液と混合した水を霧状に散布する散布口８ａ、８ｂ、８ｃ、８ｄを設ける。【００１７】  植生マット１の下にプラスチックプレート板４を敷く、このプラスチックプレート板４は農場の圃場で育成する時には使用せず、主にビニールハウス等による水耕栽培する場合に用いられる。
このプラスチックプレート板４は、径寸法０．５〜１０ｍｍで複数の穴５が均一となる密度で形成されたプラスチックプレート板で厚さ０．５〜５ｍｍ幅１．０００〜１．８００ｍｍが好適である。【００１８】  植生マット１の下にプラスチックプレート板４を敷き、ローラー付き架台６のローラー７に載せて設置する。【００１９】  植生マット１で成長育成を遂げた特定の天然植物３を出荷する際は、ローラー付き架台６の一方の端に切断機９を設置し、ローラー７上に置かれたプラスチックプレート板４を引っ張る事で植生マット１をたぐり寄せ、所定の寸法に切断する。【００２０】  この間、植物草の茎葉部も同時に生育、伸長するがその特定された天然植物３によっては生育度合いに応じて刈込み機１０にて適宣その刈り込みを行うようにしても良い。
【図面の簡単な説明】
【００２１】
【図１】本発明の一実施例の斜視図である。
【図２】本発明の図１の部分拡大斜視図である。
【図３】本発明の図２のＡ−Ａの拡大断面図である。
【図４】本発明の図３のプラスチックプレート板４の部分拡大斜視図である。
【符号の説明】
【００２２】  １    植生マット
２    保水材
３    特定の天然植物
４    プラスチックプレート板
５    穴
６    ローラー付き架台
７    ローラー
８ａ  散布口
８ｂ  散布口
８ｃ  散布口
８ｄ  散布口
９    切断機
１０    刈込み機
【図１】
2007175040.tif 000003
【図２】
2007175040.tif 000004
【図３】
2007175040.tif 000005
【図４】
2007175040.tif 000006